(57)【要約】【課題】  負荷側に接続されている種々の機器に悪影響を与えることなく無停電で変圧器の交換作業を実施することができる変圧器の無停電切替装置及び無停電切替方法を提供すること。【解決手段】  第１の負荷変圧器Ａの出力側に接続された対象負荷群への給電を第２の負荷変圧器Ｂの出力側に切り替えるために使用する変圧器の無停電切替装置であって、第１の負荷変圧器Ａの出力と前記対象負荷群との間に直列接続された第１の低圧開閉器Ａに並列接続する第１の電磁接触器Ａと、前記第１の負荷変圧器Ａの出力電圧に対応する電圧を発生可能なインバータ電源と、前記インバータ電源の入力と出力との間に並列接続された第２の電磁接触器Ｂと、前記インバータ電源から前記第１の負荷変圧器Ａの出力電圧位相または前記第２の負荷変圧器Ｂの出力電圧位相に同期した位相の出力電圧を出力させる制御部とを備えることを特徴とする。【選択図】      図１
2017011811.tif 000002
【特許請求の範囲】
【請求項１】
第１の負荷変圧器Ａの出力側に接続された対象負荷群への給電を第２の負荷変圧器Ｂの出力側に切り替えるために使用する変圧器の無停電切替装置であって、
第１の負荷変圧器Ａの出力と前記対象負荷群との間に直列接続された第１の低圧開閉器Ａに並列接続する第１の電磁接触器Ａと、前記第１の負荷変圧器Ａの出力電圧に対応する電圧を発生可能なインバータ電源と、このインバータ電源の入力を前記第２の負荷変圧器Ｂの出力に接続する第１の接続端子Ｐ１と、前記インバータ電源の入力と出力との間に並列接続された第２の電磁接触器Ｂと、前記インバータ電源の出力を前記対象負荷群へ給電可能な状態に接続する第２の接続端子Ｐ２と、前記インバータ電源から前記第１の負荷変圧器Ａの出力電圧位相または前記第２の負荷変圧器Ｂの出力電圧位相に同期した位相の出力電圧を出力させる制御部とを備え、
前記制御部が、
前記第１の電磁接触器Ａを投入状態とし、次いで前記第１の低圧開閉器Ａを手動操作により開放状態に切り替える操作指示を出力し、その指示に従い前記第１の低圧開閉器Ａが開放状態に切り替えられたことを確認した条件で前記第１の負荷変圧器Ａの取外しシーケンスの起動指示を受けた後に、前記第１の負荷変圧器Ａの出力電圧位相を検出し、その検出した位相に同期した位相の出力電圧を前記インバータ電源から出力させ、前記対象負荷群を前記インバータ電源からの給電状態に制御した後、前記第１の電磁接触器Ａを開放状態に制御する第１の制御手段と、
前記対象負荷群を前記インバータ電源から給電する状態において前記第２の負荷変圧器Ｂの出力電圧位相を監視し、当該インバータ電源の出力電圧位相を前記第２の負荷変圧器Ｂの出力電圧位相に同期させる制御動作を実行し、インバータ電源の出力電圧位相が前記第２の負荷変圧器Ｂの出力電圧位相に同期した状態で前記第２の電磁接触器Ｂを投入状態とし、前記対象負荷群に対し前記第２の負荷変圧器Ｂからの給電状態に制御すると共に前記インバータ電源を停止状態に制御する第２の制御手段と、
を備えることを特徴とする変圧器の無停電切替装置。
【請求項２】
前記対象負荷群に対する前記第２の負荷変圧器Ｂからの給電状態及び前記インバータ電源の停止状態において第１の負荷変圧器Ａを新たな物に交換した後、前記対象負荷群を前記第１の負荷変圧器Ａからの給電状態に切り戻す準備段階を終えた段階で、
前記第１の負荷変圧器Ａの取付けシーケンスの起動指示を受けた後に、前記第２の負荷変圧器Ｂの位相を検出し、その検出した位相に同期した位相の出力電圧を前記インバータ電源から発生させる制御動作を実行すると共に前記第２の電磁接触器Ｂを開放状態にする第３の制御手段と、
前記第１の負荷変圧器Ａの出力電圧位相を監視し、当該インバータ電源の出力電圧位相を前記第１の負荷変圧器Ａの出力電圧位相に同期させる制御動作を実行すると共に前記第１の電磁接触器Ａを投入状態に切り替えた後、次いでインバータ電源を停止状態に制御した状態で前記第１の低圧開閉器Ａを投入状態とする手動操作指示を出し、当該指示に従い手動操作が行われた段階で、前記第１の電磁接触器Ａを開放状態に制御し、前記対象負荷群を前記第１の低圧開閉器Ａを介した第１の負荷変圧器Ａからの給電状態に制御する第４の制御手段と、
をさらに備え、前記第２の負荷変圧器Ｂによる給電状態から第１の負荷変圧器Ａからの給電状態に切り戻すことを特徴とする請求項１に記載の変圧器の無停電切替装置。
【請求項３】
第１の負荷変圧器Ａの出力側に接続された対象負荷群への給電を第２の負荷変圧器Ｂの出力側に切り替える変圧器の無停電切替方法であって、
第１の負荷変圧器Ａの出力と前記対象負荷群との間に直列接続された第１の低圧開閉器Ａに並列接続する第１の電磁接触器Ａと、前記第１の負荷変圧器Ａの出力電圧に対応する電圧を発生可能なインバータ電源と、このインバータ電源の入力を前記第２の負荷変圧器Ｂの出力に接続する第１の接続端子Ｐ１と、前記インバータ電源の入力と出力との間に並列接続された第２の電磁接触器Ｂと、前記インバータ電源の出力を前記対象負荷群へ給電可能な状態に接続する第２の接続端子Ｐ２と、前記インバータ電源から前記第１の負荷変圧器Ａの出力電圧位相または前記第２の負荷変圧器Ｂの出力電圧位相に同期した位相の出力電圧を出力させる制御手段とを備えた無停電切替装置を用意し、
前記無停電切替装置に、
前記第１の電磁接触器Ａを投入状態とし、次いで前記第１の低圧開閉器Ａを手動操作により開放状態に切り替える操作指示を出力し、その指示に従い前記第１の低圧開閉器Ａが開放状態に切り替えられたことを確認した条件で前記第１の負荷変圧器Ａの取外しシーケンスの起動指示を受けた後に、前記第１の負荷変圧器Ａの出力電圧位相を検出し、その検出した位相に同期した出力電圧を前記インバータ電源から出力させ、前記対象負荷群を前記インバータ電源からの給電状態に制御した後、前記第１の電磁接触器Ａを開放状態に制御する第１の制御段階と、
前記対象負荷群に対する前記インバータ電源から給電する状態において前記第２の負荷変圧器Ｂの出力電圧位相を監視し、当該インバータ電源の出力電圧位相を前記第２の負荷変圧器Ｂの出力電圧位相に同期させる制御動作を実行し、インバータ電源の出力電圧位相が前記第２の負荷変圧器Ｂの出力電圧位相に同期した状態で前記第２の電磁接触器Ｂを投入状態とし、前記対象負荷群を前記第２の負荷変圧器Ｂからの給電状態に制御すると共に前記インバータ電源を停止状態に制御する第２の制御段階と、
を実行させ、第１の負荷変圧器Ａの出力側に接続された前記対象負荷群への給電を第２の負荷変圧器Ｂの出力側に切り替えることを特徴とする変圧器の無停電切替方法。
【請求項４】
前記対象負荷群に対する前記第２の負荷変圧器Ｂからの給電状態及び前記インバータ電源の停止状態において第１の負荷変圧器Ａを新たな物に交換した後、前記対象負荷群を前記第１の負荷変圧器Ａからの給電状態に切り戻す準備段階を終えた段階で、
前記無停電切替装置に、
前記第１の負荷変圧器Ａの取付けシーケンスの起動指示を受けた後に、前記第２の負荷変圧器Ｂの位相を検出し、その検出した位相に同期した位相の出力電圧を前記インバータ電源から発生させる制御動作を実行すると共に前記第２の電磁接触器Ｂを開放状態にする第３の制御段階と、
前記第１の負荷変圧器Ａの出力電圧位相を監視し、当該インバータ電源の出力電圧位相を前記第１の負荷変圧器Ａの出力電圧位相に同期させる制御動作を実行すると共に前記第１の電磁接触器Ａを投入状態に切り替えた後、次いでインバータ電源を停止状態に制御した状態で前記第１の低圧開閉器Ａを投入状態とする手動操作指示を出し、当該指示に従い手動操作が行われた段階で、前記第１の電磁接触器Ａを開放状態に制御し、前記対象負荷群を前記第１の低圧開閉器Ａを介した第１の負荷変圧器Ａからの給電状態に制御する第４の制御段階と、
を実行させ、前記第２の負荷変圧器Ｂによる給電状態から第１の負荷変圧器Ａからの給電状態に切り戻すことを特徴とする請求項３に記載の変圧器の無停電切替方法。
【発明の詳細な説明】
【技術分野】
【０００１】
本発明は、変圧器の無停電切替装置及び無停電切替方法に関するものである。
【背景技術】
【０００２】
配電線路に使用されている負荷変圧器を交換する際、低圧負荷側の需要家に対しては工事対象の低圧配電線を無停電で工事を実施する必要がある。
従来、このような無停電工事に際しては、機械式のスイッチにより給電系統を切り替える低圧用瞬時切替装置が用いられていた。
なお、無停電工事に使用する無停電電源装置として下記の特許文献１に開示された技術が知られている。
また、無停電救済作業方法として下記の特許文献２に開示された技術が知られている。
【先行技術文献】
【特許文献】
【０００３】
【特許文献１】特開平８−３３２３８号公報
【特許文献２】特開２０１１−４１４２７号公報
【発明の概要】
【発明が解決しようとする課題】
【０００４】
しかしながら、機械式のスイッチにより給電系統を切り替える方法にあっては、切替元と切替先の位相を考慮せずに切り替えているため、位相差に起因する急激な電圧変化によって負荷に悪影響を与えたうえ、機械式のスイッチによる瞬時停電が起こり、負荷側に接続されている高性能のＵＰＳ（無停電電源装置）が僅かな時間の瞬時停電を検出し、バックアップ動作に移行してしまい、警報音を鳴動させてしまうといった問題が生じていた。
本発明は、このような問題を解決すべくなされたもので、その目的は負荷側に接続されている種々の機器に悪影響を与えることなく無停電で変圧器の交換作業を実施することができる変圧器の無停電切替装置及び無停電切替方法を提供することにある。
【課題を解決するための手段】
【０００５】
上記目的を達成するために、本発明に係る変圧器の無停電切替装置は、第１の負荷変圧器Ａの出力側に接続された対象負荷群への給電を第２の負荷変圧器Ｂの出力側に切り替えるために使用する変圧器の無停電切替装置であって、
第１の負荷変圧器Ａの出力と前記対象負荷群との間に直列接続された第１の低圧開閉器Ａに並列接続する第１の電磁接触器Ａと、前記第１の負荷変圧器Ａの出力電圧に対応する電圧を発生可能なインバータ電源と、このインバータ電源の入力を前記第２の負荷変圧器Ｂの出力に接続する第１の接続端子Ｐ１と、前記インバータ電源の入力と出力との間に並列接続された第２の電磁接触器Ｂと、前記インバータ電源の出力を前記対象負荷群へ給電可能な状態に接続する第２の接続端子Ｐ２と、前記インバータ電源から前記第１の負荷変圧器Ａの出力電圧位相または前記第２の負荷変圧器Ｂの出力電圧位相に同期した位相の出力電圧を出力させる制御部とを備え、
前記制御部が、
前記第１の電磁接触器Ａを投入状態とし、次いで前記第１の低圧開閉器Ａを手動操作により開放状態に切り替える操作指示を出力し、その指示に従い前記第１の低圧開閉器Ａが開放状態に切り替えられたことを確認した条件で前記第１の負荷変圧器Ａの取外しシーケンスの起動指示を受けた後に、前記第１の負荷変圧器Ａの出力電圧位相を検出し、その検出した位相に同期した位相の出力電圧を前記インバータ電源から出力させ、前記対象負荷群を前記インバータ電源からの給電状態に制御した後、前記第１の電磁接触器Ａを開放状態に制御する第１の制御手段と、
前記対象負荷群を前記インバータ電源から給電する状態において前記第２の負荷変圧器Ｂの出力電圧位相を監視し、当該インバータ電源の出力電圧位相を前記第２の負荷変圧器Ｂの出力電圧位相に同期させる制御動作を実行し、インバータ電源の出力電圧位相が前記第２の負荷変圧器Ｂの出力電圧位相に同期した状態で前記第２の電磁接触器Ｂを投入状態とし、前記対象負荷群を前記第２の負荷変圧器Ｂからの給電状態に制御すると共に前記インバータ電源を停止状態に制御する第２の制御手段と、
を備えることを特徴とする。
また、前記対象負荷群に対する前記第２の負荷変圧器Ｂからの給電状態及び前記インバータ電源の停止状態において第１の負荷変圧器Ａを新たな物に交換した後、前記対象負荷群を前記第１の負荷変圧器Ａからの給電状態に切り戻す準備段階を終えた段階で、
前記第１の負荷変圧器Ａの取付けシーケンスの起動指示を受けた後に、前記第２の負荷変圧器Ｂの位相を検出し、その検出した位相に同期した位相の出力電圧を前記インバータ電源から発生させる制御動作を実行すると共に前記第２の電磁接触器Ｂを開放状態にする第３の制御手段と、
前記第１の負荷変圧器Ａの出力電圧位相を監視し、当該インバータ電源の出力電圧位相を前記第１の負荷変圧器Ａの出力電圧位相に同期させる制御動作を実行すると共に前記第１の電磁接触器Ａを投入状態に切り替えた後、次いでインバータ電源を停止状態に制御した状態で前記第１の低圧開閉器Ａを投入状態とする手動操作指示を出し、当該指示に従い手動操作が行われた段階で、前記第１の電磁接触器Ａを開放状態に制御し、前記対象負荷群を前記第１の低圧開閉器Ａを介した第１の負荷変圧器Ａからの給電状態に制御する第４の制御手段と、
をさらに備え、前記第２の負荷変圧器Ｂによる給電状態から第１の負荷変圧器Ａからの給電状態に切り戻すことを特徴とする。
本発明に係る変圧器の無停電切替方法は、第１の負荷変圧器Ａの出力側に接続された対象負荷群への給電を第２の負荷変圧器Ｂの出力側に切り替える変圧器の無停電切替方法であって、
第１の負荷変圧器Ａの出力と前記対象負荷群との間に直列接続された第１の低圧開閉器Ａに並列接続する第１の電磁接触器Ａと、前記第１の負荷変圧器Ａの出力電圧に対応する電圧を発生可能なインバータ電源と、このインバータ電源の入力を前記第２の負荷変圧器Ｂの出力に接続する第１の接続端子Ｐ１と、前記インバータ電源の入力と出力との間に並列接続された第２の電磁接触器Ｂと、前記インバータ電源の出力を前記対象負荷群へ給電可能な状態に接続する第２の接続端子Ｐ２と、前記インバータ電源から前記第１の負荷変圧器Ａの出力電圧位相または前記第２の負荷変圧器Ｂの出力電圧位相に同期した位相の出力電圧を出力させる制御手段とを備えた無停電切替装置を用意し、
前記無停電切替装置に、
前記第１の電磁接触器Ａを投入状態とし、次いで前記第１の低圧開閉器Ａを手動操作により開放状態に切り替える操作指示を出力し、その指示に従い前記第１の低圧開閉器Ａが開放状態に切り替えられたことを確認した条件で前記第１の負荷変圧器Ａの取外しシーケンスの起動指示を受けた後、前記第１の負荷変圧器Ａの出力電圧位相を検出し、その検出した位相に同期した出力電圧を前記インバータ電源から出力させ、前記対象負荷群を前記インバータ電源からの給電状態に制御した後、前記第１の電磁接触器Ａを開放状態に制御する第１の制御段階と、
前記対象負荷群に対する前記インバータ電源から給電する状態において前記第２の負荷変圧器Ｂの出力電圧位相を監視し、当該インバータ電源の出力電圧位相を前記第２の負荷変圧器Ｂの出力電圧位相に同期させる制御動作を実行し、インバータ電源の出力電圧位相が前記第２の負荷変圧器Ｂの出力電圧位相に同期した状態で前記第２の電磁接触器Ｂを投入状態とし、前記対象負荷群を前記第２の負荷変圧器Ｂからの給電状態に制御すると共に前記インバータ電源を停止状態に制御する第２の制御段階と、
を実行させ、第１の負荷変圧器Ａの出力側に接続された前記対象負荷群への給電を第２の負荷変圧器Ｂの出力側に切り替えることを特徴とする。
また、前記対象負荷群に対する前記第２の負荷変圧器Ｂからの給電状態及び前記インバータ電源の停止状態において第１の負荷変圧器Ａを新たな物に交換した後、前記対象負荷群を前記第１の負荷変圧器Ａからの給電状態に切り戻す準備段階を終えた段階で、
前記無停電切替装置に、
前記第１の負荷変圧器Ａの取付けシーケンスの起動指示を受けた後に、前記第２の負荷変圧器Ｂの位相を検出し、その検出した位相に同期した位相の出力電圧を前記インバータ電源から発生させる制御動作を実行すると共に前記第２の電磁接触器Ｂを開放状態にする第３の制御段階と、
前記第１の負荷変圧器Ａの出力電圧位相を監視し、当該インバータ電源の出力電圧位相を前記第１の負荷変圧器Ａの出力電圧位相に同期させる制御動作を実行すると共に前記第１の電磁接触器Ａを投入状態に切り替えた後、次いでインバータ電源を停止状態に制御した状態で前記第１の低圧開閉器Ａを投入状態とする手動操作指示を出し、当該指示に従い手動操作が行われた段階で、前記第１の電磁接触器Ａを開放状態に制御し、前記対象負荷群を前記第１の低圧開閉器Ａを介した第１の負荷変圧器Ａからの給電状態に制御する第４の制御段階と、
を実行させ、前記第２の負荷変圧器Ｂによる給電状態から第１の負荷変圧器Ａからの給電状態に切り戻すことを特徴とする。
【発明の効果】
【０００６】
本発明によれば、第１の負荷変圧器Ａの出力側に接続された対象負荷群への給電を第２の負荷変圧器Ｂの出力側に切り替える際に、インバータ電源を起動し、その出力電圧位相を切替元の負荷変圧器Ａの出力電圧位相に同期させ、その同期状態で対象負荷群に対しインバータ電源からの給電状態に制御し、その給電状態において切替先の負荷変圧器Ｂの出力電圧位相を監視し、当該インバータ電源の出力電圧位相を前記第２の負荷変圧器Ｂの出力電圧位相に同期させ、インバータ電源の出力電圧位相が前記第２の負荷変圧器Ｂの出力電圧位相に同期した状態で第２の電磁接触器Ｂを投入状態とし、対象負荷群に対し第２の負荷変圧器Ｂからの給電状態に制御すると共に、インバータ電源を停止状態に制御するように構成したため、切替元と切替先の出力電圧位相差が無い状態で切替を実行することができ、電圧位相差に起因する急激な電圧変化を生じさせることなく無停電の切替操作を円滑に行うことができる。
また、機械式のスイッチを用いず、切替元の変圧器出力電圧とインバータ電源の出力電圧の位相が同期した状態でインバータ電源からの給電状態に切り替え、インバータ電源からの給電状態になったならば切替先の出力電圧位相に同期させ、同期した状態になったならばインバータ電源からの給電を切替先の変圧器からの給電に移すため、瞬時停電が起こり得ず、ＵＰＳなどの高性能の機器の誤動作を防ぐことが可能になる。
そして、インバータ電源の起動時間を短くすることにより、インバータ電源の発熱を最小限度に抑えることができ、インバータ電源の小型化と軽量化を図ることができる。
なお、インバータ電源の出力電圧位相の合わせ込みを行う場合、１〜２秒程度の時間をかけて行うことにとより、急激な負荷電圧・電流の変化を引き起こすことなく、円滑に切替動作を実施することができる。
【図面の簡単な説明】
【０００７】
【図１】本発明に係る無停電切替装置の一実施の形態を示すブロック構成図である。
【図２】実施形態における制御部の制御盤の構成例を示す図である。
【図３】図１の実施形態における制御部が実行する電磁接触器などの制御対象の動作を示すタイムチャートである。
【図４】実施形態（負荷変圧器交換前1/2）における制御部の制御アルゴリズムを示すフローチャートである。
【図５】実施形態（負荷変圧器交換前2/2）における制御部の制御アルゴリズムを示すフローチャートである。
【図６】本発明に係る無停電切替装置を交換対象の負荷変圧器に接続する前の給電状態を示す図である。
【図７】本発明に係る無停電切替装置を交換対象の負荷変圧器に接続した直後の状態（時刻ｔ０の状態）を示す図である。
【図８】無停電切替装置の電磁接触器Ａを投入した時の状態（時刻ｔ１の状態）を示す図である。
【図９】無停電切替装置の低圧開閉器Ａを手動で開放した時の状態（時刻ｔ２の状態）を示す図である。
【図１０】無停電切替装置に内蔵のインバータ電源を起動し、その出力電圧を切替元の負荷変圧器Ａの出力電圧位相に同期させた時の状態（時刻ｔ３の状態）を示す図である。
【図１１】インバータ電源の出力電圧位相が負荷変圧器Ａの出力電圧位相に同期した状態で、電磁接触器Ａを開放し、対象負荷群に対しインバータ電源からのみの給電にした時の状態（時刻ｔ４の状態）を示す図である。
【図１２】インバータ電源の出力電圧位相を切替先の負荷変圧器Ｂの出力電圧位相に切替えた時の状態（時刻ｔ５の状態）を示す図である。
【図１３】インバータ電源の出力電圧位相を切替先の負荷変圧器Ｂの出力電圧位相に同期した状態で、電磁接触器Ｂを投入し、切替先の負荷変圧器Ｂからの給電状態にして、インバータ電源を停止させた時の状態（時刻ｔ６の状態）を示す図である。
【図１４】実施形態（負荷変圧器交換後1/2）における制御部の制御アルゴリズムを示すフローチャートである。
【図１５】実施形態（負荷変圧器交換後2/2）における制御部の制御アルゴリズムを示すフローチャートである。
【図１６】負荷変圧器Ａの交換作業完了後に、インバータ電源を再起動し、インバータ電源出力電圧を負荷変圧器Ｂの出力電圧位相に同期させた時の状態（時刻ｔ７の状態）を示す図である。
【図１７】インバータ電源の出力電圧位相が負荷変圧器Ｂの出力電圧位相に同期した状態で、電磁接触器Ｂを開放し、対象負荷群に対しインバータ電源からの給電にした時の状態（時刻ｔ８の状態）を示す図である。
【図１８】インバータ電源の出力電圧位相を切替元の負荷変圧器Ａの出力電圧位相に同期させた時の状態（時刻ｔ９の状態）を示す図である。
【図１９】電磁接触器Ａを投入し、インバータ電源を停止させた時の状態（時刻ｔ１０の状態）を示す図である。
【図２０】低圧開閉器Ａを投入後、電磁接触器Ａを開放し、負荷変圧器Ａの取付け工事が完了した状態（時刻ｔ１１の状態）を示す図である。
【図２１】無停電切替装置を外し、負荷変圧器Ａの交換前の線路状態に戻った状態または（時刻ｔ１２の状態）を示す図である。
【発明を実施するための形態】
【０００８】
以下、本発明を図示する実施の形態に基づいて詳細に説明する。
図１は、本発明に係る実施の形態を示すブロック構成図である。
同図において、（１）は無停電切替装置である。この無停電切替装置（１）は、切替元の負荷変圧器Ａ（２５）の出力側に接続された対象負荷群（２７）への給電を切替先の負荷変圧器Ｂ（２６）の出力側に切り替えるために使用する装置であって、無停電切替装置（１）の構成要素は図中の実線で示している。構成要素以外は破線で示している。
無停電切替装置（１）は、負荷変圧器Ａ（２５）の出力と対象負荷群（２７）との間に直列接続された第１の低圧開閉器Ａ（２０）に並列接続可能な第１の電磁接触器Ａ（１４）と、負荷変圧器Ａ（２５）の出力電圧に対応する電圧を発生可能なインバータ電源（１１）と、このインバータ電源（１１）の入力を前記第２の負荷変圧器Ｂ（２６）の出力に接続する第１の接続端子Ｐ１と、前記インバータ電源（１１）の入力と出力との間に並列接続された第２の電磁接触器Ｂ（１３）と、インバータ電源（１１）の出力を対象負荷群（２７）へ給電可能な状態に接続する第２の接続端子Ｐ２と、負荷変圧器Ａ（２５）の出力電圧位相または負荷変圧器Ｂ（２６）の出力電圧位相に同期した位相の出力電圧をインバータ電源（１１）から出力させる制御部（１２）を備えている。
また、電磁接触器Ａ（１４）の通過電流を監視するためのクランプ式の変流器ＣＴ１（１５）を備えている。同様に、低圧開閉器Ａ（２０）の通過電流を監視するためのクランプ式の変流器ＣＴ２（１６）を備え、さらに電磁接触器Ｂ（１３）の通過電流を監視するための貫通型の変流器ＣＴ３（１７）を備えている。
【０００９】
制御部（１２）には、変流器ＣＴ１〜３（１５）〜（１７）の検出信号が破線で示すように入力されると共に、接続端子Ｐ１の負荷変圧器Ｂ（２６）の出力が出力位相取り込み用として入力されている。また、接続端子Ｐ３の負荷変圧器Ａ（２５）の出力が出力位相取り込み用として入力されている。
制御部（１２）からは、第１の電磁接触器Ａ（１４）及びを第２の電磁接触器Ｂ（１３）を開放／投入状態に制御する制御信号が破線で示すように出力されると共に、インバータ電源（１１）の位相制御信号が出力されている。
【００１０】
この無停電切替装置（１）を接続する対象負荷群（２７）への給電線路は、６．６ｋＶ３相３線式の高圧送電線路（２２）から高圧カットアウト（２３）を介して交換対象負荷変圧器Ａ（２５）の１次側に接続し、当該変圧器Ａ（２５）の２次側出力を低圧開閉器Ａ（２０）を経由して対象負荷群（２７）に給電するように構成されている。
負荷変圧器Ａ（２５）の交換作業のために使用する切替先の給電線路は、６．６ｋＶ３相３線式の高圧送電線路（２２）から高圧カットアウト（２４）を介して負荷変圧器Ｂ（２６）の１次側に接続し、当該変圧器Ｂ（２６）の２次側出力を低圧開閉器Ｂ（２１）を経由して負荷群（２８）に給電するように構成されている。
すなわち、無停電切替装置（１）を接続する前の負荷群（２７）、（２８）への給電線路は、後述する図６のように構成されている。
【００１１】
無停電切替装置（１）を使用する場合、次のような準備作業が必要である。
すなわち、第１の接続端子Ｐ１を第２の負荷変圧器Ｂ（２６）の出力に接続すると共に、第２の接続端子Ｐ２を対象負荷群（２７）へ給電可能な状態に接続し、さらに第１の電磁接触器Ａ（１４）を低圧開閉器Ａ（２０）に並列接続して無停電切替可能な状態にする。
このような準備作業を終えた後、制御部（１２）の制御盤を操作し、自動制御動作を開始させる。
【００１２】
切替元の負荷変圧器Ａ（２５）の出力側に接続された対象負荷群（２７）への給電を切替先の負荷変圧器Ｂ（２６）の出力側に切り替えるための制御動作は、次のような第１〜第２の制御段階で構成される。
すなわち、電磁接触器Ａ（１４）を投入状態とし、次いで低圧開閉器Ａ（２０）を手動操作により開放状態に切り替える指示を出力し、その指示に従い低圧開閉器Ａ（２０）が開放状態に切り替えられたことを確認した条件で制御盤のスイッチ操作により第１の負荷変圧器Ａ（２５）の取外しシーケンスの起動指示を受けたならば、インバータ電源（１１）を起動し、当該インバータ電源（１１）から負荷変圧器Ａ（２５）の出力電圧位相に同期した位相の出力電圧を出力させ、この状態で電磁接触器Ａ（１４）を開放状態に制御し、対象負荷群（２７）に対しインバータ電源（１１）からの給電状態に制御する第１の制御段階と、
対象負荷群（２７）に対しインバータ電源（１１）からの給電状態において負荷変圧器Ｂ（２６）の出力電圧位相を監視し、インバータ電源（１１）の出力電圧位相を負荷変圧器Ｂ（２６）の出力電圧位相に同期させる制御動作を実行し、インバータ電源（１１）の出力電圧位相が負荷変圧器Ｂ（２６）の出力電圧位相に同期した状態で電磁接触器Ｂ（１３）を投入状態とし、対象負荷群（２７）に対し負荷変圧器Ｂ（２６）からの給電状態に制御する共にインバータ電源（１１）を停止状態に制御する第２の制御段階とで構成される。
【００１３】
一方、負荷変圧器Ａ（２５）を新たな物に交換した後、対象負荷群（２７）への給電元を新たな負荷変圧器Ａ（２５）の出力側に切戻す制御動作は、次のような第３、第４の制御段階で構成される。
すなわち、第１の負荷変圧器Ａ（２５）の取付けシーケンスの起動指示を制御盤のスイッチ操作により受けたならば、まず、負荷変圧器Ｂ（２６）の出力電圧位相を検出し、その検出した位相に同期した位相の出力電圧をインバータ電源（１１）から出力させると共に電磁接触器Ｂ（１３）を開放状態にする第３の制御段階と、第１の負荷変圧器Ａ（２５）の出力電圧位相を監視し、インバータ電源（１１）の出力電圧位相を第１の負荷変圧器Ａ（２５）の出力電圧位相に同期させる制御動作を実行すると共に第１の電磁接触器Ａ（１４）を投入状態に切り替えた後、次いでインバータ電源（１１）を停止状態に制御した状態で第１の低圧開閉器Ａ（２０）を投入状態とする手動操作指示を出し、当該指示に従い手動操作が行われた段階で、第１の電磁接触器Ａ（１４）を開放状態に制御し、対象負荷群（２７）に対し第１の低圧開閉器Ａ（２０）を介した第１の負荷変圧器Ａ（２５）からの給電状態に制御する第４の制御段階とで構成される。
【００１４】
図２は、制御部（１２）の制御盤（１２０）の構成を示す図であり、電源ＳＷ（１２１）、ＳＷ１（１２２）、ＳＷ２（１２３）、ＳＷ３（１２４）を備え、さらに電源ランプ（１２５）、開放ランプ（１２７）、投入ランプ（１２９）、電源位相ランプ（１２６）、負荷位相ランプ（１２８）、異常ランプ（１３０）を備えている。
電源ＳＷ（１２１）は、無停電切替装置（１）の電源を投入するスイッチである。また、ＳＷ１（１２２）は負荷変圧器Ａ（２５）の取外しシーケンスの起動を指示するスイッチ、ＳＷ２（１２３）は負荷変圧器Ａ（２５）の交換後の取付けシーケンスの起動を指示するスイッチである。ＳＷ３（１２４）は電磁接触器Ａ（１４）の開放及びシーケンスの停止を指示するスイッチである。
【００１５】
電源ランプ（１２５）は無停電切替装置（１）の電源が投入状態であることを表示するランプ、開放ランプ（１２７）は低圧開閉器Ａ（２０）の開放準備が完了したことを示すランプ、投入ランプ（１２９）は低圧開閉器Ａ（２０）の投入準備が完了したことを示すランプ、電源位相ランプ（１２６）は電磁接触器Ｂ（１３）が投入状態になっていることを示すランプ、負荷位相ランプ（１２８）は電磁接触器Ａ（１４）が投入状態になっていることを示すランプ、異常ランプ（１３０）は制御動作が異常になっていることを示すランプである。
【００１６】
図３は、切替元の負荷変圧器Ａ（２５）の出力側に接続された対象負荷群（２７）への給電を切替先の負荷変圧器Ｂ（２６）の出力側に切り替えるための制御動作と、負荷変圧器Ａ（２５）を新たな物に交換した後、対象負荷群（２７）への給電元を新たな負荷変圧器Ａ（２５）の出力側に切戻す制御動作における低圧開閉器Ａ（２０）などの各構成要素の動作を時刻ｔ０〜ｔ１２の順で時系列に示したタイミングチャートである。
【００１７】
図４及び図５は、切替元の負荷変圧器Ａ（２５）の出力側に接続された対象負荷群（２７）への給電を切替先の負荷変圧器Ｂ（２６）の出力側に切り替えるための制御動作を実行する制御部（１２）の制御アルゴリズムを示すフローチャートである。
以下、このフローチャート及び図３のタイミングチャートを参照しつつ実施形態に係る動作を説明する。
【００１８】
まず、無停電切替装置（１）の接続前は、図６のように構成されていた対象負荷群（２７）への給電線路に、給電状態を維持したまま、無停電切替装置（１）を接続し、図７のような接続状態とする。
このような準備作業が終了したならば、制御盤（１２０）の電源ＳＷ（１２１）をオン操作し、無停電切替装置（１）の電源を投入する（図４ステップ４０１）。
【００１９】
次に、電磁接触器Ａ（１４）を投入し、負荷位相ランプ（１２８）を点灯させる（ステップ４０２）。続いて、電磁接触器Ａ（１４）の通過電流を変流器ＣＴ１（１５）により監視し（ステップ４０３）、通過電流がゼロではないことを確認する（ステップ４０４）。
【００２０】
図８は、電磁接触器Ａ（１４）を投入した状態を示すものである。
通過電流がゼロであった場合には、電磁接触器Ａ（１４）が正常に作動していないことになるので、異常ランプ（１３０）を点灯させ、異常終了させ、装置を停止させる（ステップ４０５，４０６）。
しかし、通過電流がゼロではなかった場合、電磁接触器Ａ（１４）が正常に作動していることになるので、当該電磁接触器Ａ（１４）の並列接続先の低圧開閉器Ａ（２０）の手動開放操作を操作員に指示するために開放ランプ（１２７）を点灯させる（ステップ４０７）。
そこで、操作員により、低圧開閉器Ａ（２０）が手動で開放され（図３のｔ１）（ステップ４０８）、ＳＷ１（１２２）の操作を待ち、ＳＷ１（１２２）が操作され（ステップ４０９）、負荷変圧器Ａ（２５）の取外しシーケンスを起動することが指示されたならば、以下の手順で取外しシーケンスを制御する。
【００２１】
図９は低圧開閉器Ａ（２０）が手動で開放された時の状態を示す図である。
この取外しシーケンスでは、まず、低圧開閉器Ａ（２０）の通過電流を変流器ＣＴ２（１６）により監視し、通過電流がゼロであるか否かを確認する（ステップ４１０，４１１）。通過電流がゼロでなかった場合、当該低圧開閉器Ａ（２０）は開放されていないことになるので、異常ランプ（１３０）を点灯させ（ステップ４１２）、異常終了とし、装置を停止させる（ステップ４１３）。
しかし、通過電流がゼロであった場合、当該低圧開閉器Ａ（２０）は確実に開放されていることが確認できたことになるので、負荷変圧器Ａ（２５）の出力電圧位相を検出する（ステップ４１４）。これは、負荷変圧器Ａ（２５）の出力側の接続端子Ｐ３と制御部（１２）との間に接続した変圧器位相取り込み用の監視線の入力電圧位相を監視することによって検出する。
【００２２】
次いで、インバータ電源（１１）を起動し（図３のｔ２）、当該インバータ電源（１１）からステップ４１４で検出した負荷変圧器Ａ（２５）の出力電圧位相に同期した位相の出力電圧を出力させる（ステップ４１５）。
図１０は、インバータ電源（１１）を起動したときの状態を示す図である。
このインバータ電源（１１）を起動した後、電磁接触器Ａ（１４）の通過電流を変流器ＣＴ１（１５）により所定時間（例えば、１０ｍｓ）の間、監視し（ステップ４１７）、電流値が減少傾向にあれば、インバータ電源（１１）の出力電流を増加させるようにインバータ電源（１１）を制御し（ステップ４１６）、電流値に変化が無ければ、電磁接触器Ａ（１４）を開放させる（図３のｔ３）（図５ステップ４１８）。
【００２３】
すなわち、電磁接触器Ａ（１４）の方がインバータ電源（１１）より多くの電力を供給している時に、電磁接触器Ａ（１４）を開放すると、インバータ電源（１１）で対象負荷群（２７）に電力を供給しきれない可能性や、出力電圧が著しく低下し、対象負荷群の装置に悪影響が出る可能性がある。このような事態を解消するために、電磁接触器Ａ（１４）の通過電流が減少傾向にあれば、インバータ電源（１１）の出力電流を電磁接触器Ａ（１４）に流れる負過電流より大きくするように制御する。
【００２４】
図１１は、電磁接触器Ａ（１４）を開放した時の状態を示す図である。
次に、電磁接触器Ａ（１４）を開放し（ステップ４１８）、当該電磁接触器Ａ（１４）の通過電流を変流器ＣＴ１（１５）により監視し（ステップ４１９）、通過電流がゼロであるか否かを確認する（ステップ４２０）。通過電流がゼロでなかった場合、当該電磁接触器Ａ（１４）は開放されていないことになるので、異常ランプ（１３０）を点灯させ（ステップ４２１）、異常終了とし、装置を停止させる（ステップ４２２）。
【００２５】
しかし、通過電流がゼロであった場合、当該電磁接触器Ａ（１４）は確実に開放されていることが確認できたことになるので、今度は切替先の負荷変圧器Ｂ（２６）の出力電圧位相を検出する（ステップ４２３）。そして、負荷変圧器Ｂ（２６）の出力電圧位相とインバータ電源（１１）の出力電圧位相を比較する（ステップ４２５）。
比較の結果、出力電圧位相に誤差があった場合、インバータ電源（１１）の出力電圧位相をシフトさせる（ステップ４２４）。その結果、両者が一致したならば（同期したならば）、電磁接触器Ｂ（１３）を投入し、電源位相ランプ（１２６）を点灯させる（ステップ４２６）。そして、電磁接触器Ｂ（１３）の通過電流を変流器ＣＴ３（１７）により監視し（ステップ４２７）、通過電流がゼロであるか否かを確認する（ステップ４２８）。通過電流がゼロであった場合、当該電磁接触器Ｂ（１３）は投入されていないことになるので、異常ランプ（１３０）を点灯させ（ステップ４２９）、異常終了とし、装置を停止させる（ステップ４３０）。
【００２６】
しかし、通過電流がゼロでなかった場合、当該電磁接触器Ｂ（１３）は確実に投入され、負荷電流を供給していることが確認できたことになるので、当該電磁接触器Ｂ（１３）の通過電流を変流器ＣＴ３（１７）により所定時間（例えば、１０ｍｓ）の間、監視し（ステップ４３２）、電流値が増加傾向にあれば、インバータ電源（１１）の出力電流を減少させるようにインバータ電源（１１）を制御し（ステップ４３１）、電流値に変化が無ければ、インバータ電源（１１）を停止させる（ステップ４３３）。すなわち、インバータ電源（１１）の出力電圧位相と負荷変圧器Ｂ（２６）の出力電圧位相とが同期したならば、対象負荷群（２７）へはインバータ電源（１１）に代わって負荷変圧器Ｂ（２６）の出力電圧を給電する状態に切り替えるが、所定時間（例えば、１０ｍｓ）の間、負荷電流値に変化がなくなり、負荷電流値が安定してきたらインバータ電源（１１）を停止させ、インバータ電源（１１）の起動時間を短くする。
【００２７】
図１２は、負荷変圧器Ｂ（２６）の出力位相に同期した位相の電圧をインバータ電源（１１）から供給している状態を示す図である。
図１３は、電磁接触器Ｂ（１３）を投入し、インバータ電源（１１）を停止させた後、負荷変圧器Ａ（２５）を取り外した状態を示す図である。
図１４〜図１５は、負荷変圧器Ｂ（２６）側に切り替えた後、負荷変圧器Ａ（２５）を新しい物に交換し、対象負荷群（２７）への給電元を負荷変圧器Ａ（２５）側に切り戻す際の制御アルゴリズムを示すフローチャートである。
【００２８】
以下、このフローチャートを参照しつつ切戻し制御動作を説明する。
まず、負荷変圧器Ａ（２５）を新しい物に交換し、交換前の状態に接続して図１６のような接続状態に戻したならば、無停電切替装置（１）の負荷変圧器Ａ（２５）の取付けシーケンス起動スイッチＳＷ２（１２３）をオン操作する（ステップ１４１）。ここで、交換後の負荷変圧器Ａは符号（２５Ｘ）として表記する。
この後、負荷変圧器Ｂ（２６）の出力電圧位相を検出し（ステップ１４２）、インバータ電源（１１）を起動し、検出した位相と同期した位相の出力電圧を出力させ、対象負荷群（２７）への給電状態とする（ステップ１４３）。
【００２９】
次に、電磁接触器Ｂ（１３）の通過電流を変流器ＣＴ３（１７）によって監視し（ステップ１４５）、所定時間計測し（例えば１０ｍｓ）、電流値が減少傾向にあった場合にはインバータ電源（１１）の出力電流を増加させるように制御し（ステップ１４４）、電流値に変化がない場合には電磁接触器Ｂ（１３）を開放し、図１７のような状態とし、インバータ電源（１１）のみからの給電状態にする。（ステップ１４６）
【００３０】
次に、電磁接触器Ｂ（１３）の通過電流を変流器ＣＴ３（１７）により監視し（ステップ１４７）、通過電流がゼロであるか否かを確認する（ステップ１４８）。通過電流がゼロでなかった場合には、電磁接触器Ｂ（１３）は開放されていないことになるので、異常ランプ（１３０）を点灯させ（ステップ１４９）、異常終了と判断し、装置を停止させる（ステップ１５０）。
通過電流がゼロであった場合には、電磁接触器Ｂ（１３）は確実に開放されていることになるので、今度は切替元の負荷変圧器Ａ（２５Ｘ）の出力電圧位相を検出し（ステップ１５１）、負荷変圧器Ａ（２５Ｘ）の出力電圧位相とインバータ電源（１１）の出力電圧位相を比較する（ステップ１５３）。
【００３１】
比較の結果、出力電圧位相に誤差があった場合、インバータ電源（１１）の出力電圧位相をシフトさせる（ステップ１５２）。この状態を図１８に示す。その結果、両者が一致したならば（同期したならば）、電磁接触器Ａ（１４）を投入し、負荷位相ランプ（１２８）を点灯させる（ステップ１５４）。そして、電磁接触器Ａ（１４）の通過電流を変流器ＣＴ１（１５）により監視し（ステップ１５５）、通過電流がゼロであるか否かを確認する（ステップ１５６）。
通過電流がゼロであった場合、当該電磁接触器Ａ（１４）は投入されていないことになるので、異常ランプ（１３０）を点灯させ（ステップ１５７）、異常終了とし、装置を停止させる（ステップ１５８）。
【００３２】
しかし、通過電流がゼロでなかった場合、当該電磁接触器Ａ（１４）は確実に投入され、負荷電流を供給していることが確認できたことになるので、当該電磁接触器Ａ（１４）の通過電流を変流器ＣＴ１（１５）により所定時間（例えば、１０ｍｓ）の間、監視し（ステップ１６０）、電流値が増加傾向にあれば、インバータ電源（１１）の出力電流を減少させるようにインバータ電源（１１）を制御し（ステップ１５９）、電流値に変化が無ければ、インバータ電源（１１）を停止させる（ステップ１６１）。すなわち、インバータ電源（１１）の出力電圧位相と負荷変圧器Ａ（２５Ｘ）の出力電圧位相とが同期したならば、対象負荷群（２７）へはインバータ電源（１１）に代わって負荷変圧器Ａ（２５）の出力電圧を給電する状態に切り替えるが、所定時間（例えば、１０ｍｓ）の間、負荷電流値に変化がなくなり、負荷電流値が安定してきたらインバータ電源（１１）を停止させ、インバータ電源（１１）の起動時間を短くする。この状態を図１９に示す。
【００３３】
インバータ電源（１１）を停止させたならば、低圧開閉器Ａ（２０）の投入ランプ（１２９）を点灯させ（ステップ１６２）、低圧開閉器Ａ（２０）の手動による投入操作を促す。そこで、低圧開閉器Ａ（２０）の手動投入操作が行われたならば（ステップ１６３）、電磁接触器Ａ（１４）を開放する（ステップ１６４）。この状態を図２０に示す。
【００３４】
最後に、電磁接触器Ａ（１４）の通過電流を変流器ＣＴ１（１５）により監視し（ステップ１６５）、通過電流がゼロであるか否かを確認する（ステップ１６６）。
通過電流がゼロでなかった場合、当該電磁接触器Ａ（１４）は開放されていないことになるので、異常ランプ（１３０）を点灯させ（ステップ１６７）、異常終了とし、装置を停止させる（ステップ１６８）。
【００３５】
通過電流がゼロであった場合、当該電磁接触器Ａ（１４）は確実に開放されていることが確認できたので、電源ＳＷ（１２１）をＯＦＦに操作し、装置を停止させる。（ステップ１６９）装置を停止させた後は、接続端子Ｐ１〜Ｐ３から本装置接続線を取外し、図２１のように無停電切替装置（１）を撤去する。
また、上記制御動作において、インバータ電源（１１）の起動時間は３〜５秒程度に設定しているが、必要に応じて、短縮または延長することができる。
【符号の説明】
【００３６】
１    無停電切替装置
Ｐ１    接続端子
Ｐ２    接続端子
Ｐ３    接続端子
１１    インバータ電源    
１２    制御部            
１３    電磁接触器Ｂ      
１４    電磁接触器Ａ      
１５    変流器（ＣＴ１）
１６    変流器（ＣＴ２）
１７    変流器（ＣＴ３）
２０    低圧開閉器Ａ
２１    低圧開閉器Ｂ
２２    高圧送電線路（６．６ｋＶ３相３線式）
２３    高圧カットアウト
２４    高圧カットアウト
２５    負荷変圧器Ａ
２６    負荷変圧器Ｂ
２７    対象負荷群
２８    負荷群
２５Ｘ    交換済負荷変圧器
【図１】
2017011811.tif 000003
【図２】
2017011811.tif 000004
【図３】
2017011811.tif 000005
【図４】
2017011811.tif 000006
【図５】
2017011811.tif 000007
【図６】
2017011811.tif 000008
【図７】
2017011811.tif 000009
【図８】
2017011811.tif 000010
【図９】
2017011811.tif 000011
【図１０】
2017011811.tif 000012
【図１１】
2017011811.tif 000013
【図１２】
2017011811.tif 000014
【図１３】
2017011811.tif 000015
【図１４】
2017011811.tif 000016
【図１５】
2017011811.tif 000017
【図１６】
2017011811.tif 000018
【図１７】
2017011811.tif 000019
【図１８】
2017011811.tif 000020
【図１９】
2017011811.tif 000021
【図２０】
2017011811.tif 000022
【図２１】
2017011811.tif 000023
【手続補正書】
【提出日】平成27年7月15日(2015.7.15)
【手続補正１】
【補正対象書類名】明細書
【補正対象項目名】０００９
【補正方法】変更
【補正の内容】
【０００９】
制御部（１２）には、変流器ＣＴ１〜３（１５）〜（１７）の検出信号が破線で示すように入力されると共に、接続端子Ｐ１の負荷変圧器Ｂ（２６）の出力が出力位相取り込み用として入力されている。また、接続端子Ｐ３の負荷変圧器Ａ（２５）の出力が出力位相取り込み用として入力されている。
制御部（１２）からは、第１の電磁接触器Ａ（１４）及び第２の電磁接触器Ｂ（１３）を開放／投入状態に制御する制御信号が破線で示すように出力されると共に、インバータ電源（１１）の位相制御信号が出力されている。
【手続補正２】
【補正対象書類名】明細書
【補正対象項目名】００１１
【補正方法】変更
【補正の内容】
【００１１】
無停電切替装置（１）を使用する場合、次のような準備作業が必要である。
すなわち、第１の接続端子Ｐ１を第２の負荷変圧器Ｂ（２６）の出力に接続すると共に、第２の接続端子Ｐ２を対象負荷群（２７）へ給電可能な状態に接続し、さらに第１の電磁接触器Ａ（１４）を低圧開閉器Ａ（２０）に並列接続して無停電切替可能な状態にする。
このような準備作業を終えた後、制御部（１２）の制御盤（１２０）を操作し、自動制御動作を開始させる。
【手続補正３】
【補正対象書類名】明細書
【補正対象項目名】００１２
【補正方法】変更
【補正の内容】
【００１２】
切替元の負荷変圧器Ａ（２５）の出力側に接続された対象負荷群（２７）への給電を切替先の負荷変圧器Ｂ（２６）の出力側に切り替えるための制御動作は、次のような第１〜第２の制御段階で構成される。
すなわち、電磁接触器Ａ（１４）を投入状態とし、次いで低圧開閉器Ａ（２０）を手動操作により開放状態に切り替える指示を出力し、その指示に従い低圧開閉器Ａ（２０）が開放状態に切り替えられたことを確認した条件で制御盤（１２０）のスイッチ操作により第１の負荷変圧器Ａ（２５）の取外しシーケンスの起動指示を受けたならば、インバータ電源（１１）を起動し、当該インバータ電源（１１）から負荷変圧器Ａ（２５）の出力電圧位相に同期した位相の出力電圧を出力させ、この状態で電磁接触器Ａ（１４）を開放状態に制御し、対象負荷群（２７）に対しインバータ電源（１１）からの給電状態に制御する第１の制御段階と、
対象負荷群（２７）に対しインバータ電源（１１）からの給電状態において負荷変圧器Ｂ（２６）の出力電圧位相を監視し、インバータ電源（１１）の出力電圧位相を負荷変圧器Ｂ（２６）の出力電圧位相に同期させる制御動作を実行し、インバータ電源（１１）の出力電圧位相が負荷変圧器Ｂ（２６）の出力電圧位相に同期した状態で電磁接触器Ｂ（１３）を投入状態とし、対象負荷群（２７）に対し負荷変圧器Ｂ（２６）からの給電状態に制御すると共にインバータ電源（１１）を停止状態に制御する第２の制御段階とで構成される。
【手続補正４】
【補正対象書類名】明細書
【補正対象項目名】００１３
【補正方法】変更
【補正の内容】
【００１３】
一方、負荷変圧器Ａ（２５）を新たな物に交換した後、対象負荷群（２７）への給電元を新たな負荷変圧器Ａ（２５Ｘ）の出力側に切戻す制御動作は、次のような第３、第４の制御段階で構成される。
すなわち、第１の負荷変圧器Ａ（２５）の取付けシーケンスの起動指示を制御盤（１２０）のスイッチ操作により受けたならば、まず、負荷変圧器Ｂ（２６）の出力電圧位相を検出し、その検出した位相に同期した位相の出力電圧をインバータ電源（１１）から出力させると共に電磁接触器Ｂ（１３）を開放状態にする第３の制御段階と、第１の負荷変圧器Ａ（２５）の出力電圧位相を監視し、インバータ電源（１１）の出力電圧位相を第１の負荷変圧器Ａ（２５）の出力電圧位相に同期させる制御動作を実行すると共に第１の電磁接触器Ａ（１４）を投入状態に切り替えた後、次いでインバータ電源（１１）を停止状態に制御した状態で第１の低圧開閉器Ａ（２０）を投入状態とする手動操作指示を出し、当該指示に従い手動操作が行われた段階で、第１の電磁接触器Ａ（１４）を開放状態に制御し、対象負荷群（２７）に対し第１の低圧開閉器Ａ（２０）を介した第１の負荷変圧器Ａ（２５）からの給電状態に制御する第４の制御段階とで構成される。
【手続補正５】
【補正対象書類名】明細書
【補正対象項目名】００２３
【補正方法】変更
【補正の内容】
【００２３】
すなわち、電磁接触器Ａ（１４）の方がインバータ電源（１１）より多くの電力を供給している時に、電磁接触器Ａ（１４）を開放すると、インバータ電源（１１）で対象負荷群（２７）に電力を供給しきれない可能性や、出力電圧が著しく低下し、対象負荷群（２７）の装置に悪影響が出る可能性がある。このような事態を解消するために、電磁接触器Ａ（１４）の通過電流が減少傾向にあれば、インバータ電源（１１）の出力電流を電磁接触器Ａ（１４）に流れる負過電流より大きくするように制御する。
【手続補正６】
【補正対象書類名】明細書
【補正対象項目名】００２７
【補正方法】変更
【補正の内容】
【００２７】
図１２は、負荷変圧器Ｂ（２６）の出力位相に同期した位相の電圧をインバータ電源（１１）から供給している状態を示す図である。
図１３は、電磁接触器Ｂ（１３）を投入し、インバータ電源（１１）を停止させた後、負荷変圧器Ａ（２５）を取り外した状態を示す図である。
図１４〜図１５は、負荷変圧器Ｂ（２６）側に切り替えた後、負荷変圧器Ａ（２５）を新しい物に交換し、対象負荷群（２７）への給電元を負荷変圧器Ａ（２５Ｘ）側に切り戻す際の制御アルゴリズムを示すフローチャートである。
【手続補正７】
【補正対象書類名】明細書
【補正対象項目名】００２８
【補正方法】変更
【補正の内容】
【００２８】
以下、このフローチャートを参照しつつ切戻し制御動作を説明する。
まず、負荷変圧器Ａ（２５）を新しい物に交換し、交換前の状態に接続して図１６のような接続状態に戻したならば、無停電切替装置（１）の負荷変圧器Ａ（２５Ｘ）の取付けシーケンス起動スイッチＳＷ２（１２３）をオン操作する（ステップ１４１）。ここで、交換後の負荷変圧器Ａは符号（２５Ｘ）として表記する。
この後、負荷変圧器Ｂ（２６）の出力電圧位相を検出し（ステップ１４２）、インバータ電源（１１）を起動し、検出した位相と同期した位相の出力電圧を出力させ、対象負荷群（２７）への給電状態とする（ステップ１４３）。
【手続補正８】
【補正対象書類名】明細書
【補正対象項目名】００３２
【補正方法】変更
【補正の内容】
【００３２】
しかし、通過電流がゼロでなかった場合、当該電磁接触器Ａ（１４）は確実に投入され、負荷電流を供給していることが確認できたことになるので、当該電磁接触器Ａ（１４）の通過電流を変流器ＣＴ１（１５）により所定時間（例えば、１０ｍｓ）の間、監視し（ステップ１６０）、電流値が増加傾向にあれば、インバータ電源（１１）の出力電流を減少させるようにインバータ電源（１１）を制御し（ステップ１５９）、電流値に変化が無ければ、インバータ電源（１１）を停止させる（ステップ１６１）。すなわち、インバータ電源（１１）の出力電圧位相と負荷変圧器Ａ（２５Ｘ）の出力電圧位相とが同期したならば、対象負荷群（２７）へはインバータ電源（１１）に代わって負荷変圧器Ａ（２５Ｘ）の出力電圧を給電する状態に切り替えるが、所定時間（例えば、１０ｍｓ）の間、負荷電流値に変化がなくなり、負荷電流値が安定してきたらインバータ電源（１１）を停止させ、インバータ電源（１１）の起動時間を短くする。この状態を図１９に示す。